(57)【要約】【課題】マスキングテープを１回だけ貼るだけで多層塗装を施工することができる壁面の塗装方法を提供する。【解決手段】マスキングテープ４は、下層側の第１テープ１と、上層側の第２テープ２と、第１テープ１に貼着された離型紙３とを有する。第２テープのテープ幅は第１テープよりも小さい。また、第２粘着剤２ａの粘着力は第１粘着剤１ａの粘着力よりも小さい。第１塗り材（例えば壁塗装用のアンダーコート）を塗装対象面に塗布し、この第１塗り材が乾く前に第２テープを剥す。その後、第１塗り材が乾いた後、第２塗り材（例えば壁塗装用のトップコート）を塗布し、該第２塗り材が乾く前に第１テープ１を剥す。【選択図】図１
2007190475.tif 000002
【特許請求の範囲】
【請求項１】
塗り材を壁面に塗る壁面塗装方法において、塗り面とは異なる部分及び／又は部材の端部に複数層から成るマスキングテープを貼り、第１塗り材を壁面下地材に塗布後、該マスキングテープの最上層を剥し、その後、さらに第２の塗り材を塗布し、その後、該マスキングテープを剥すことを特徴とする壁面の塗装方法。
【請求項２】
請求項１において、該マスキングテープは、上層ほどテープ幅が小さいことを特徴とする壁面の塗装方法。
【請求項３】
請求項１又は２において、該マスキングテープは上層ほど粘着力が小さいことを特徴とする壁面の塗装方法。
【発明の詳細な説明】
【技術分野】
【０００１】
本発明は、壁面の塗装方法に係り、特にマスキングテープを用いた壁面の塗装方法に関する。
【背景技術】
【０００２】
建物の外壁、窓壁等の壁面に塗装を施す場合にマスキングテープを用いることは周知である（例えば特開平９−５３３１４号）。この特開平９−５３３１４号では、マスキングテープを用いて塗布後、マスキングテープを剥し、透明コート層を塗布する２層塗りを行っている。
【特許文献１】特開平９−５３３１４号
【発明の開示】
【発明が解決しようとする課題】
【０００３】
上記特開平９−５３３１４号では、２層目の透明コート層の塗布に際してはマスキングテープは用いられていない。
【０００４】
従来、マスキングテープを用いて壁面の塗りを行うに際し、塗装が乾燥した後、マスキングテープを剥がした場合、塗装にひび割れ等が生じるため、２層塗りを行う場合には、１層目の塗布後、１層目用マスキングテープを剥してから２層目用マスキングテープを貼るようにしており、マスキングテープを貼るのに２度の手間がかかっていた。
【０００５】
本発明は、マスキングテープを１回だけ貼るだけで多層塗装を施工することができる壁面の塗装方法を提供することを目的とする。
【課題を解決するための手段】
【０００６】
請求項１の壁面の塗装方法は、塗り材を壁面に塗る壁面塗装方法において、塗り面とは異なる部分及び／又は部材の端部に複数層から成るマスキングテープを貼り、第１塗り材を壁面下地材に塗布後、該マスキングテープの最上層を剥し、その後、さらに第２の塗り材を塗布し、その後、該マスキングテープを剥すことを特徴とするものである。
【０００７】
なお、「塗り面とは異なる部分」とは、塗り材を塗る領域と塗らない領域との境界をいう。「塗り面とは異なる部材」とは、窓枠や扉枠などのことである。
【０００８】
請求項２の壁面の塗装方法は、請求項１において、該マスキングテープは、上層ほどテープ幅が小さいことを特徴とするものである。
【０００９】
請求項３の壁面の塗装方法は、請求項１又は２において、該マスキングテープは上層ほど粘着力が小さいことを特徴とするものである。
【発明の効果】
【００１０】
本発明の壁面の塗装方法では、例えば、軒天やサッシの塗り面側の端部にマスキングテープを貼着した後、第１塗り材を塗装する。第１塗り材が固化する前に第２テープを剥がし、第２の塗り材を塗装し、その後、第１のテープを剥がす。
【００１１】
本発明方法で用いているマスキングテープは、複数層から成るため、第１塗り材を塗布後、マスキングテープの最上層を剥し、第２塗り材を塗布することができる。即ち、第２層の塗装のために新たなマスキングテープを貼ることが不要である。このため、多層塗装を効率良く行うことが可能である。
【００１２】
なお、請求項２の通り、マスキングテープは上層ほどテープ幅が小さいものである場合、あるいは請求項３の通り、上層ほど粘着力が小さいものである場合、上層のものを剥すときに下層のものが共剥しされることが防止され、上層のものだけを容易に剥し取ることができる。
【発明を実施するための最良の形態】
【００１３】
以下、図面を参照して実施の形態について説明する。第１図は実施の形態に係る壁面の塗装方法に用いられるマスキングテープの断面図である。第３図は塗装方法を示す断面図である。
【００１４】
このマスキングテープ４は、下層側の第１テープ１と、上層側の第２テープ２と、第１テープ１に貼着された離型紙３とを有する。第１テープ１と離型紙３とは第１粘着剤１ａによって付着され、第１テープ１と第２テープ２とは第２粘着剤２ａによって付着されている。なお、第１テープ１の下面に離型紙３が付着され、第１テープ１の上面に第２テープ２が付着されている。
【００１５】
第２テープのテープ幅は第１テープよりも小さい。また、第２粘着剤２ａの粘着力は第１粘着剤１ａの粘着力よりも小さい。
【００１６】
このマスキングテープ４を用いて塗装を行うには、第３図に示すように離型紙３を剥し第１粘着剤１ａを介して該マスキングテープをマスキング対象物（例えば壁面の一部や、壁面に隣接するサッシなど）に貼る。次いで、第１塗り材（例えば壁塗装用のアンダーコート）を塗装対象面にこて等を用いてこすりつけるように塗布し、この第１塗り材が乾く前に第２テープを剥す。その後、第１塗り材が乾いた後、第２塗り材（例えば壁塗装用のトップコート）を塗布し、該第２塗り材が乾く前に第１テープ１を剥す。
【００１７】
第３図は柱と窓枠（扉枠）の取り合いを示す断面図である。柱１０と胴縁１１の間に透湿防水シート１２を挟み、その上に外壁下地材１３を胴縁１１を介して釘９等によって固定する。窓枠１４と外壁下地材１３の隙間にはバックアップ材１５を詰め、その上にシーリング１６を施している。この外壁下地材１３に下塗り材２０と仕上げ材２１を塗る際には、マスキングテープ４から離型紙３を剥がし、第２テープ２が短くなっている方の端部を塗り面とは異なる側にして該マスキングテープ４を窓枠１４に貼着する（第３図（ａ））。その後、外壁下地材１３に下塗り材２０をこてで塗り、下塗り材２０が乾く前に第２テープ２を剥がす。下塗り材２０が乾燥後、仕上げ材２１を下塗り材２０と同様にこてで塗り、これが乾く前に第１テープ１を剥がして外壁を仕上げる（第３図（ｂ））。
なお、本発明では、第２図のマスキングテープ４’のように、第１テープ１と第２テープ２とが等幅であってもよい。
【００１８】
また、本発明では、マスキングテープは、テープ長辺側端部の一方において第２テープより第１テープが短く、他方の端部は第１テープが第２テープより短くてもよい。この場合、第１テープが短い方の端部を外壁下地材側に貼着する。これにより第２テープを剥しやすく、かつ下塗り材を塗ったあと、第２テープを剥がした際に下塗り材を施した部分に第１テープが残っていないため、仕上げ材を施した後に第１テープを剥がす際、乾燥した下塗り材に第１テープを剥がすと同時にひびが入る等、下塗り材に影響を及ぼすことがない。
【００１９】
このように、第２塗り材を塗布するときに新たなマスキングテープを貼ることが不要であり、貼り付け済みのマスキングテープの第２テープ２を剥がすだけでよい。従って、マスキングテープを貼る手間が少なく、施工効率が良い。
【００２０】
この実施例では第１塗り材とは下地の不陸調整材、下地の色を隠蔽するための下地と同系色の塗り材のことをいい、第２塗り材とは仕上げ面を形成する塗り材のことをいう。また、塗り材はアクリルエマルジョン、変性シリコンが好適であるが、樹脂モルタル等を用いてもよい。
【００２１】
この実施の形態では、第２テープ２のテープ幅が第１テープ１のテープ幅よりも小さいので、第２テープ２を剥し易い。また、第２粘着剤２ａの粘着力が第１粘着剤１ａの粘着力よりも小さいので、第２テープ２を剥すときに第１テープ１を一緒に剥してしまうことがなく、第２テープのみを容易に剥すことができる。
【００２２】
なお、第１テープ１及び第２テープ２並びに離型紙３は、いずれも手で切断することができるように紙製とすることが望ましい。
【００２３】
また、ロール状のマスキングテープの場合、裏面に離型紙を設けず、表装に離型剤が塗布されていてもかまわない。
【００２４】
上記実施の形態ではマスキングテープは２層であるが、３層以上から成ってもよい。
【図面の簡単な説明】
【００２５】
【図１】マスキングテープの断面図である。
【図２】別のマスキングテープの断面図である。
【図３】塗装方法を示す断面図である。
【符号の説明】
【００２６】
１  第１テープ
２  第２テープ
３  離型紙
４，４’  マスキングテープ
【図１】
2007190475.tif 000003
【図２】
2007190475.tif 000004
【図３】
2007190475.tif 000005